(57)【要約】【課題】  生分解性を有することは勿論のこと、細菌や黴等の発生、増殖や生分解の進行を防いで十分な耐久性を有し、更には耐熱性をも兼備した生分解性樹脂組成物製の機械部品、並びにこの生分解性樹脂組成物よりなる部材を備え、細菌や黴等の発生の恐れも無く、更には非磁性で医療用に好適な直動装置を提供する。【解決手段】  融点が200℃以上である生分解性樹脂を含む樹脂組成物、または更に抗菌剤とを含む樹脂組成物を成形してなる生分解性樹脂組成物製機械部品、並びに前記樹脂組成物からなる外方部材や内方部材を備える直動装置。【選択図】  図１
2005226660.tif 000002
【特許請求の範囲】
【請求項１】
融点が200℃以上である生分解性樹脂を含む樹脂組成物を成形してなることを特徴とする生分解性樹脂組成物製機械部品。
【請求項２】
融点が200℃以上である生分解性樹脂と、抗菌剤とを含む樹脂組成物を成形してなることを特徴とする生分解性樹脂組成物製機械部品。
【請求項３】
抗菌剤が銀系抗菌剤であることを特徴とする請求項２記載の生分解性樹脂組成物製機械部品。
【請求項４】
機械部品同士を接合するための接合部材であって、融点が200℃以上である生分解性樹脂を含む樹脂組成物、または融点が200℃以上である生分解性樹脂と抗菌剤とを含む樹脂組成物を成形してなることを特徴とする接合部材。
【請求項５】
抗菌剤が銀系抗菌剤であることを特徴とする請求項４記載の接合部材。
【請求項６】
少なくとも外方部材と、該外方部材に隙間を介して対向する内方部材と、前記外方部材と前記内方部材との間に転動自在に配設され、前記外方部材と前記内方部材とを相対移動させる複数の転動体とを備えた直動装置であって、
少なくとも前記外方部材及び前記内方部材が、融点が200℃以上である生分解性樹脂を含む樹脂組成物、または融点が200℃以上である生分解性樹脂と抗菌剤とを含む樹脂組成物を成形してなることを特徴とする直動装置。
【請求項７】
抗菌剤が銀系抗菌剤であることを特徴とする請求項６記載の直動装置。
【発明の詳細な説明】
【技術分野】
【０００１】
本発明は、生分解性樹脂組成物、あるいは更に抗菌剤を含有する生分解性樹脂組成物からなる機械部品に関する。また、本発明は、生分解性樹脂組成物、あるいは更に抗菌剤を含有する生分解性樹脂組成物からなる外方部材や内方部材を備える直動装置に関する。
【背景技術】
【０００２】
生分解性樹脂は、土壌中等に放置されるとバクテリア等によって最終的に二酸化炭素及び水に徐々に分解される。よって、生分解性樹脂で構成された樹脂製品は、自然環境に放出されても原形を留めなくなるまで自然に分解される。また、焼却処理された場合でも有害物質を発生することはなく、燃焼に伴う熱量が小さいので焼却設備を傷めることが少なく、大量の燃料や大型の焼却設備を必要とすることもない。このように生分解性樹脂は、自然環境に対して悪影響を及ぼし難い。
【０００３】
現在実用化されている生分解性樹脂の用途としては農業資材や包装資材が中心であるが、最近、機械部品や構造部品用材料としての研究開発も進んでおり、転がり軸受の構成要素に生分解性材料を適用した例（例えば、特許文献１及び特許文献２参照）や、ねじ装置の一部の部材に生分解性樹脂を適用した例（例えば、特許文献３参照）等が知られている。
【０００４】
【特許文献１】特開2002-89567号公報
【特許文献２】特開2002-363391号公報
【特許文献３】特開2002-13607号公報
【発明の開示】
【発明が解決しようとする課題】
【０００５】
しかしながら、従来の生分解性樹脂組成物あるいは生分解性樹脂組成物製品においては、保管または使用時に細菌や黴等が発生、増殖したり、生分解が進行したりして劣化するおそれがあった。特に、直動装置等の機械製品には耐久性が要求されるため、保管または使用時に劣化し難い材料が望まれている。
【０００６】
また、リニアガイドやボールねじ等の直動装置は金属製部品で主に形成され、材料となる金属は特殊高炭素鋼・ステンレス鋼等で、殆どが磁性鋼である。そのため、医療用設備等で用いた場合、磁気を帯びることで直動装置の作動によって磁場変動を生じ、検査精度等に悪影響を及ぼす可能性があった。そのため、使用部品のより多くをプラスチック製に代替できれば、このような不具合を抑えることができるようになり、更には生分解性樹脂組成物製とすることにより、環境面でも有利となる。しかし、上記のように、従来の生分解性樹脂組成物は抗菌作用を持たず、劣化するという欠点があり、更には直動装置が細菌や黴の発生源になるおそれもある。また、直動装置は運転に伴い高温になるため、耐熱性も要求されるが、従来の生分解性樹脂は十分な耐熱性を備えていない。
【０００７】
一方、プラスチック製部品では、エンジニアリングプラスチックを用いることによりある程度の耐熱性を確保することができるものの、特別の抗菌性を有する訳ではないので、同様に劣化や、細菌・黴の発生源になるおそれがある。更に、このような直動装置で使用されたプラスチック製部品の廃棄の際、不燃ゴミとして埋設処理すると廃棄物問題の一因となってしまう。また、衛生面から焼却処理される場合もあるが、それに伴って有害物質を発生したり、大量の燃料を必要としたり、焼却設備を傷めたりする恐れがある。
【０００８】
本発明は上記の問題点に着目してなされたものであり、生分解性を有することは勿論のこと、細菌や黴等の発生、増殖や生分解の進行を防いで十分な耐久性を有し、更には耐熱性をも兼備した生分解性樹脂組成物製の機械部品、並びにこの生分解性樹脂組成物よりなる部材を備え、細菌や黴等の発生の恐れも無く、更には非磁性で医療用に好適な直動装置を提供することを目的とする。
【課題を解決するための手段】
【０００９】
本発明は前記課題を解決するために、下記に示す生分解性樹脂組成物製機械部品、接合部材及び直動装置を提供する。
（１）融点が200℃以上である生分解性樹脂を含む樹脂組成物を成形してなることを特徴とする生分解性樹脂組成物製機械部品。
（２）融点が200℃以上である生分解性樹脂と、抗菌剤とを含む樹脂組成物を成形してなることを特徴とする生分解性樹脂組成物製機械部品。
（３）抗菌剤が銀系抗菌剤であることを特徴とする上記（２）記載の生分解性樹脂組成物製機械部品。
（４）機械部品同士を接合するための接合部材であって、融点が200℃以上である生分解性樹脂を含む樹脂組成物、または融点が200℃以上である生分解性樹脂と抗菌剤とを含む樹脂組成物を成形してなることを特徴とする接合部材。
（５）抗菌剤が銀系抗菌剤であることを特徴とする上記（４）記載の接合部材。
（６）少なくとも外方部材と、該外方部材に隙間を介して対向する内方部材と、前記外方部材と前記内方部材との間に転動自在に配設され、前記外方部材と前記内方部材とを相対移動させる複数の転動体とを備えた直動装置であって、
少なくとも前記外方部材及び前記内方部材が、融点が200℃以上である生分解性樹脂を含む樹脂組成物、または融点が200℃以上である生分解性樹脂と抗菌剤とを含む樹脂組成物を成形してなることを特徴とする直動装置。
（７）抗菌剤が銀系抗菌剤であることを特徴とする上記（６）記載の直動装置。
【発明の効果】
【００１０】
本発明によれば、耐熱性に優れ、細菌や黴の発生もなく、耐久性に優れた生分解製の機械部品や接合部材を提供できる。また、細菌や黴等の発生がなく、非磁性で医療用設備等で使用しても検査精度に悪影響を及ぼすことない直動装置を提供できる。
【発明を実施するための最良の形態】
【００１１】
以下、本発明の実施形態について図を参照しつつ説明する。
（生分解性樹脂組成物）
本発明において、生分解性樹脂組成物のベースとなる生分解性樹脂として融点200℃以上のものを用いる。これは、後述される直動装置等に使用する場合の耐熱性や耐久性を確保するためである。更に、製造コストを考慮すると、射出成形できる樹脂が好適である。これらの要件を満たす生分解性樹脂として具体的には、ポリビニルアルコール系樹脂、芳香族系ポリエステル、ポリグリコール酸樹脂等が例示できる。
【００１２】
ここで、ポリビニルアルコール系樹脂とは、ポリビニルアルコール及びその改質樹脂のことをいう。ポリビニルアルコールの改質樹脂とは、ポリビニルアルコールの主鎖や側鎖に任意の分子構造を導入したもので、例えばポリビニルアルコールの側鎖にオキシアルキレン基を導入したオキシアルキレン基含有ポリビニルアルコール等が例示できる。芳香族系ポリエステルとは、ポリエステルの主鎖に芳香環を有しているポリエステルのことで、構造によって生分解性に大きな違いが生ずる。生分解が可能な芳香族系ポリエステルとしては、ポリエチレンテレフタレート共重合体やポリブチレンテレフタレート共重合体等が例示できる。尚、これらの樹脂は単独でも２種類以上を混合して使用しても構わない。
【００１３】
上記の生分解性樹脂に充填材を配合して生分解性樹脂組成物を調製し、これを所望の形状に成形することにより本発明の生分解性樹脂組成物製機会部品が得られる。充填材としては、酸化チタン、二酸化珪素、酸化マグネシウム、酸化アルミニウム、マイカ、クレー、タルク、チタン酸カリウムウィスカー、ホウ酸アルミニウムウィスカー、珪酸カルシウム、ガラス繊維、カーボン繊維、カーボンブラック、アラミド繊維等が使用できる。繊維状あるいはウィスカー状の充填材は、生分解性樹脂組成物の強度を効果的に向上させるので特に好適である。また、環境安全性の面からは、生分解性プラスチック研究会（BPS）の運用によるグリーンプラ識別表示制度のポジティブリスト（PL）に登録されている充填材を使用するのが好適である。
【００１４】
更に、生分解性樹脂には、充填材とは別にガラス繊維、カーボン繊維、チタン酸カリウムウィスカー等の補強材、酸化防止剤、固体潤滑剤、熱伝導性改良剤、結晶化促進剤、増核剤等を必要に応じて配合しても良い。これらの種類は特に限定しないが、同じく生分解性プラスチック研究会（BPS）の運用によるグリーンプラ識別表示制度のポジティブリスト（PL）に登録されているものを使用するのが環境安全性の面から好ましい。
【００１５】
尚、充填材及びその他の配合物の配合量は、機械部材の種類に応じてその要求特性を満たすように適宜選択されるが、一例を示すと、直動装置に使用する場合では、充填材と補強材との合計含有量は生分解性樹脂組成物全体に対して10〜50質量％、より好ましくは20〜40質量％とすると良い。充填材と補強材の合計含有量が低すぎると、機械的強度や耐久性が実用レベルに達しない可能性がある。一方、充填材と補強材との合計含有量が高すぎると、生分解性樹脂組成物の成形性が悪化する可能性がある。
【００１６】
また、本発明は、上記の生分解性樹脂組成物に、更に抗菌剤を配合した機械部品を提供する。抗菌剤としては銀系抗菌剤が好ましく、例えば銀または銀酸化物を好適に使用することができる。銀系抗菌剤は、長期間にわたって効果が持続し、加工するときの高温環境（220〜240℃程度）でも比較的安定であり、更には生物や自然環境に対する危険性が低いという利点を有する。
【００１７】
この銀系抗菌剤は、生分解性樹脂組成物に直接添加するよりも、充填材の表面に担持させたり、被覆させたりする方が、分散性に優れるため好適である。
【００１８】
また、銀系抗菌剤の含有量は、生分解性樹脂組成物全体に対して、銀含有量に換算して0．2〜2．0質量％が好ましく、更には0．5〜1．5質量％が好ましい。銀含有量が0．2質量％未満では、十分な抗菌効果が得られない可能性がある。一方、銀含有量が2．0質量％を超える範囲では、抗菌効果がほぼ飽和してくることに加え、コストアップにも繋がるし、生分解性樹脂組成物の物性低下を招く可能性もある。
【００１９】
上記生分解性樹脂組成物を機械部品に成形するときの成形方法には制限がないが、成形効率等を考慮すると射出成形が好ましい。また、機械部品の種類にも制限がなく、従来のプラスチック製部品の他にも、後述される接合部材や直動装置の構成部材等とすることができる。
【００２０】
（直動装置）
本発明において直動装置自体の種類や構成には制限がなく、例えば、以下に示すようなボールねじ、リニアガイド及びボールねじ一体型直動案内ユニット（モノキャリア）を例示することができる。本発明では、これら直動装置を構成する部材を上記した生分解性樹脂組成物で形成するが、上記の生分解性樹脂組成物は融点が200℃以上であり、直動装置の一般的な使用条件に十分に対応できる。
【００２１】
図１はボールねじの一例を示す断面図、図２は図１のＡＡ断面図である。図示されるボールねじ１０は、断面が円形のねじ軸１１を備えており、このねじ軸１１の外周面には断面円弧状のねじ溝（転動体転動溝）１２がねじ軸（内方部材）１１の一端部から他端部にわたって形成されている。ねじ溝１２には多数の球状転動体１３が係合しており、これらの球状転動体１３がねじ溝１２に沿って転がり運動をするとナット（外方部材）１４がねじ軸１１の軸方向に直線運動するようになっている。ナット１４はねじ軸１１が貫通する円形の貫通孔を有しており、この貫通孔の内面には、ねじ溝１２との間に螺旋状の転動体通路を画成する転動体転動溝１６が形成されている。また、ナット１４は転動体通路の一端とそれぞれ連通する二つの循環チューブ挿入孔１８を有し、この循環チューブ挿入孔１８に転動体循環チューブ１７の両端が差し込まれている。更に、ナット１４の両端面には、封入グリースの漏洩防止及び外部からの異物の侵入防止のためのラビリンスシール１９が装着されている。循環チューブ挿入孔１８は転動体循環チューブ１７を介して互いに連通しており、ねじ溝１２と転動体転動溝１６との間に画成された螺旋状の転動体通路を転動した転動体１３は、転動体循環チューブ１７内を通って転動体通路を繰り返し転動するようになっている。
【００２２】
本発明においては、ナット１４、ねじ軸１１、ボール循環チューブ１７、ラビリンスシール１９等を上記の生分解性樹脂組成物で形成する。また、転動体１３は、医療用設備に使用するために非磁性を考慮してガラスやセラミックスで形成することができるが、同種の生分解性樹脂組成物とすることもできる。
【００２３】
また、図３はリニアガイドの斜視図、図４はリニアガイドの断面図、図５は図３に示すスライダの一部分を示す断面図である。図示されるリニアガイド２０は、断面が矩形の案内レール（内方部材）２１を備えており、この案内レール２１の両側面には断面円弧状の転動体転動溝２２が案内レール２１に沿って形成されている。転動体転動溝２２には多数の球状転動体２３が係合しており、これらの球状転動体２３が転動体転動溝２２に沿って転がり運動をするとスライダ（外方部材）２４が案内レール２１の長手方向に直線運動するようになっている。スライダ２４はスライダ本体２５と、このスライダ本体２５の前端と後端に設けられたエンドキャップ２６とからなり、スライダ本体２５の両袖部２５ａ，２５ａには、転動体転動溝２２との間に直線状の転動体通路を画成する転動体転動溝２７が形成されていると共に円形の転動体通路孔２８が転動体転動溝２７と平行に形成されている。一方、エンドキャップ２６には、Ｕ字状に湾曲した転動体通路孔２９が形成されている。この転動体通路孔２９は転動体転動溝２２と転動体転動溝２７との間に画成された転動体通路と転動体通路孔２８にそれぞれ連通しており、従って、転動体転動溝２２と転動体転動溝２７との間に画成された直線状の転動体通路を転動した球状転動体２３は、転動体通路孔２９及び転動体通路孔２８を通って転動体通路を繰り返し転動するようになっている。
【００２４】
本発明では、スライダ２４のスライダ本体２５、エンドキャップ２６、案内レール２１等を上記の生分解性樹脂組成物で形成する。また、転動体２３は、医療用設備に使用するために非磁性を考慮してガラスやセラミックスで形成することができるが、同種の生分解性樹脂組成物とすることもできる。
【００２５】
また、図６はボールねじ一体型直動案内ユニットの側面図、図７は図６のＢＢ断面図、図８は図７のＣＣ断面図である。図示されるボールねじ一体型直動案内ユニット３０において、案内レール４１は横断面略コ字状で、底面から立ち上げた両側縁部４１ａの内面に、それぞれ軸方向に延びる１本のボール転動溝４２を対向位置に有して延長されている。この案内レール４１の長さ方向の両端には、軸受け板４３，４４がねじ止めして取付けられている。軸受け板４３には図示しないボールベアリングが取付けられ、軸受け板４４にはベアリングハウジング４６を介し図示しないボールベアリングがダブルに取付けられており、これらのベアリングに支持されて、ボールねじのねじ軸４７が案内レール４１の幅の中心部においてボール転動溝４２と平行に配設されている。また、ねじ軸４７のボールねじ溝４８は、大リードの４条ねじとして形成されている。ねじ軸４７の一方の軸端部４７ａはベアリングハウジング４６から外方に突出して図外の駆動モータの出力軸と連結可能とされている。ナット４０は、角形のナット本体４０Ａと、その前後の両端にそれぞれボルトで固定したエンドキャップ４９とを備えており、ねじ軸４７に螺合される。ナット本体４０Ａの中心部に形成されたねじ孔５１の内周面には、ねじ軸４７のボールねじ溝４８に対応するボールねじ溝５０が形成されている。ナット本体４０Ａの横幅は案内レール４１の両側縁部４１ａ，４１ａ間の内のり寸法より僅かに小さく形成されていて、その左右両側面の下部には案内レール４１のボール転動溝４２にそれぞれ対向させたボール転動溝５２が形成されると共に、これに平行する直線状の貫通孔からなるボール戻り通路５３がナット肉厚内に形成されている。また、ナット４０の下部には、案内レール４１のボール転動溝４２とこれに対向するボール転動溝５２及びボール戻り通路５３と湾曲路５５とからなる直線案内系のボール無限循環路が構成され、このボール無限循環路内に多数の転動体５６が転動自在に装着されている。
【００２６】
本発明では、ナット４０のナット本体４０Ａ、エンドキャップ４９、ねじ軸４７、案内レール４１、軸受け板４３，４４、ベアリングハウジング等を生分解性樹脂組成物で形成する。また、転動体５６は、医療用設備に使用するために非磁性を考慮してガラスやセラミックスで形成することができるが、同種の生分解性樹脂組成物とすることもできる。
【００２７】
直動装置は上記以外にも、例えばＸ軸方向とＹ軸方向への移動が可能で、テーブル体と一体化されたＸＹテーブル等が挙げられ、テーブル体を上記生分解性樹脂組成物で形成することにより、本発明の直動装置とすることができる。
【００２８】
（接合部材）
本発明の接合部材としては、各種部品を連結するためのボルトやナット、ネジ、リベット等が挙げられ、これらを上記の生分解性樹脂組成物で形成する。これらの接合部材は、従来からプラスチック製のものが知られているが、生分解性樹脂組成物とすることにより廃棄したときの環境負荷を大きく低減できる。
【００２９】
また、接合部材として、図９及び図１０に示すリニアガイド２０、図１１に示すボールねじ１０を組み付ける際のボルト６０，７０とすることもできる。尚、図９及び図１０に示すリニアガイドにおいて、更にスライダ２４、エンドキャップ２６、案内レール２１等を図３に示したリニアガイド２０と同様に生分解性樹脂組成物で形成することにより、本発明のリニアガイド装置とすることができる。また、図１１に示すボールネジ１０においても、更にナット１４、ねじ軸１１、ボール循環チューブ１７、ラビリンスシール１９等を図１に示したボールねじ１０と同様に生分解性樹脂組成物で形成することにより、本発明のボールねじとすることができる。
【実施例】
【００３０】
本発明の効果を確認するために実施した試験について説明する。
【００３１】
（試験−１）
先ず、本発明に係る生分解性樹脂組成物を２種類調製した。その組成は以下に示す通りである。
○組成物Ａ：
・オキシアルキレン基含有ポリビニルアルコール  65質量％
・ガラス繊維                                  25質量％
・銀被覆チタン酸カリウムウィスカー            10質量％
（銀含有量は生分解性樹脂組成物全体に対して1.0質量％である）
○組成物Ｂ：
・ポリエチレンテレフタレート共重合体          60質量％
・ガラス繊維                                  30質量％
・銀被覆チタン酸カリウムウィスカー            10質量％
（銀含有量は生分解性樹脂組成物全体に対して1.0質量％である）
【００３２】
続いて、図１〜５に示すボールねじ及びリニアガイドの転動体を除く部材を、組成物Ａまたは組成物Ｂを用いて製作した。尚、転動体にはガラスを使用した。そして、製作したボールねじとリニアガイドを使用して以下の試験を実施した。
【００３３】
（１）保管試験
製作したボールねじとリニアガイドを梱包し、通常の保管環境で６ヵ月間放置した。組成物Ａ製及び組成物Ｂ製のボールねじ、リニアガイドともに放置前後の外観や重量に特に変化は無かった。
【００３４】
（２）抗菌性試験
大腸菌を対象として殺菌性効果を示す試験を実施した。製作したリニアガイドのスライダ本体上面３ｃｍ×３ｃｍのエリアに大腸菌を約1000個含む培養希釈液を塗布し、４時間後の菌数を測定した。組成物Ａ製及び組成物Ｂ製のリニアガイドとも、菌数は300個以下まで減少しており、十分な抗菌性が確認された。
【００３５】
（３）生分解性試験
上記の（１）保管試験及び（２）抗菌性試験を終了したボールねじとリニアガイドについて、JIS K 6953「プラスチック−制御されたコンポスト条件下の好気的究極生分解度及び崩壊度の求め方−発生二酸化炭素量の測定による方法」に準拠した手法で、生分解度を求めた。抗菌剤の効果により、試験開始から生分解し始めるまでに3〜6ヵ月程を要したが、組成物Ａ及び組成物Ｂともに生分解することを確認した。
【００３６】
（試験−２）
ポリエチレンテレフタレート改質樹脂（デュポン株式会社製バイオマックスWB200，ガラス繊維を35質量％配合したもの）と、オキシアルキレン基含有ポリビニルアルコール（日本合成化学工業株式会社製エコマティAX-300，ガラス繊維を30質量％配合したもの）とを用い、図１〜５に示されるボールねじ及びリニアガイドの転動体を除く部材を射出成形により作製した。尚、転動体にはガラスを使用した。
【００３７】
そして、上記の（３）生分解性試験と同様にして生分解度を求めた。結果を図１２に示す。図中、「PVA-BS」は「オキシアルキレン基含有ポリビニルアルコールで製作したボールねじ」を、「PVA-LG」は「オキシアルキレン基含有ポリビニルアルコールで製作したリニアガイド」を、「PEs-BS」は「ポリエチレンテレフタレート改質樹脂で製作したボールねじ」を、「PEs-LG」は「ポリエチレンテレフタレート改質樹脂で製作したリニアガイド」をそれぞれ示すが、何れのサンプルも生分解することが確認された。
【００３８】
（試験−３）
図９及び図１０に示すように、生分解性樹脂組成物製のスライダ本体に、生分解性樹脂製のエンドキャップを本発明に係るボルトで組付け、更にスライダ本体への他部材の組付けや生分解性樹脂製の案内レールの他部材への組付けに本発明に係る接合部材を使用した。ボルト及び接合部材は、以下に示す３種類の生分解性組成組成物を射出成形して製作した．
○組成物Ｃ：
・ポリエチレンテレフタレート改質樹脂          60質量％
・ガラス繊維                                  35質量％
・銀被覆チタン酸カリウムウィスカー             5質量％
（銀含有量は生分解性樹脂組成物全体に対して1.0質量％である）
○組成物Ｄ：
・オキシアルキレン基含有ポリビニルアルコール  70質量％
・ガラス繊維                                  30質量％
○組成物Ｅ：
・ポリグリコール酸樹脂                        65質量％
・ガラス繊維                                  25質量％
・銀被覆チタン酸カリウムウィスカー            10質量％
（銀含有量は組成物全体に対して1.0質量％である）
【００３９】
また、図１１に示すように、生分解性樹脂製のナット本体に生分解性樹脂製のエンドキャップ及びシール部材を本発明に係るボルトで組付けた。接合部材は、以下に示す３種類の生分解性樹脂組成物を射出成形して製作した．
○組成物Ｆ：
・ポリエチレンテレフタレート改質樹脂          65質量％
・ガラス繊維                                  35質量％
○組成物Ｇ：
・オキシアルキレン基含有ポリビニルアルコール  65質量％
・ガラス繊維                                  25質量％
・銀被覆チタン酸カリウムウィスカー            10質量％
（銀含有量は生分解性樹脂組成物全体に対して1.0質量%である）
○組成物Ｈ：
・ポリグリコール酸樹脂                        70質量％
・ガラス繊維                                  30質量％
【００４０】
そして、作製したボールねじ及びリニアガイドについて、上記の（３）生分解性試験と同様にして生分解度を求めたところ、何れも生分解することが確認された。尚、抗菌剤が配合されたボルトや接合部材は、抗菌剤の効果により試験開始から生分解し始めるまでに3〜6ヵ月程度の時間を要した．
【図面の簡単な説明】
【００４１】
【図１】本発明のボールねじの一例を示す断面図である。
【図２】図１のＡＡ断面図である
【図３】本発明のリニアガイドの一例を示す斜視図である。
【図４】図３に示されるリニアガイドの断面図である。
【図５】図３に示されるスライダの一部分を示す断面図である。
【図６】本発明のボールねじ一体型直動案内ユニットの一例を示す側面図である。
【図７】図６のＢＢ断面図である。
【図８】図７のＣＣ断面図である。
【図９】本発明の接合部材の一例並びにリニアガイドの他の例を示す斜視図である。
【図１０】本発明の接合部材の他の例並びに図９に示したリニアガイドのスライダを示す斜視図である。
【図１１】本発明の接合部材の更に他の例並びにボールねじの他の例を示す断面図である。
【図１２】試験−２において各樹脂の生分解性を評価した結果を示すグラフである。
【符号の説明】
【００４２】
１０  ボールねじ
１１  ねじ軸
１２  ねじ溝
１３  転動体
１４  ナット
１７  ボール循環チューブ
１９  ラビリンスシール
２０  リニアガイド
２１  案内レール
２３  転動体
２４  スライダ
２５  スライダ本体
２６  エンドキャップ
３０  ボールねじ一体型直動案内ユニット
４１  案内レール
４７  ねじ軸
６０  ボルト
７０  ボルト
【図１】
2005226660.tif 000003
【図２】
2005226660.tif 000004
【図３】
2005226660.tif 000005
【図４】
2005226660.tif 000006
【図５】
2005226660.tif 000007
【図６】
2005226660.tif 000008
【図７】
2005226660.tif 000009
【図８】
2005226660.tif 000010
【図９】
2005226660.tif 000011
【図１０】
2005226660.tif 000012
【図１１】
2005226660.tif 000013
【図１２】
2005226660.tif 000014